【手続補正書】
【提出日】平成19年5月21日(2007.5.21)
【手続補正１】
【補正対象書類名】明細書
【補正対象項目名】発明の名称
【補正方法】変更
【補正の内容】
【発明の名称】インプラント及び送入装置、並びに、流体制御装置を製造する方法
【手続補正２】
【補正対象書類名】明細書
【補正対象項目名】特許請求の範囲
【補正方法】変更
【補正の内容】
【特許請求の範囲】
【請求項１】  インプラントを移植するための送入装置と組み合わせて使用するインプラントであって、該インプラントが、管と、外向きに延びている保持突起とを備え、前記送入装置が、外側表面と、前記インプラントを収容するための中央孔とを備え、前記送入装置がさらに前記管の側部に開口部を有し、前記保持突起が該送入装置の前記管の前記外側表面を越えて突出することを可能とさせている、インプラント及び送入装置。
【請求項２】  前記インプラントがプラスティックから形成されている、請求項１に記載のインプラント及び送入装置。
【請求項３】  前記保持突起が前記インプラントの入口端部に設けられ、前記インプラントが該インプラントの出口端部に設けられた外側フランジをさらに備える、請求項１に記載のインプラント及び送入装置。
【請求項４】  前記送入装置の前記管の側部の前記開口部により、さらに、前記インプラントの前記外側フランジが前記送入装置の前記管の前記外側表面を越えて突出することを可能とさせている、請求項３に記載のインプラント及び送入装置。
【請求項５】  前記送入装置の前記管の前記中央孔内に前記インプラントを収容できるように、該インプラントの前記外側フランジが弾性を有している、請求項３に記載のインプラント及び送入装置。
【請求項６】  インプラントを移植するための送入装置と組み合わせて使用するインプラントであって、該インプラントが、入口端部及び出口端部を有した管と、外向きに延びている保持突起とを備え、前記送入装置が、外側表面と、前記インプラントを収容するための中央孔と、前記インプラントが該中央孔から出ることを可能とさせるために一方の端部に設けられた開口部とを有する管を備え、前記インプラントの前記入口端部が前記出口端部より前に前記送入装置の前記中央孔から出るように、前記インプラントは、前記入口端部が前記出口端部より開口の近くになった状態で前記中央孔内に収容されている、インプラント及び送入装置。
【請求項７】  前記インプラントがプラスティックから形成されている、請求項６に記載のインプラント及び送入装置。
【請求項８】  前記保持突起が前記インプラントの前記入口端部の近傍に設けられ、前記インプラントが該インプラントの前記出口端部の近傍に設けられた外側フランジをさらに備える、請求項６に記載のインプラント及び送入装置。
【請求項９】  前記送入装置の前記管の前記中央孔内に前記インプラントを収容できるように、該インプラントの前記外側フランジが弾性を有している、請求項８に記載のインプラント及び送入装置。
【請求項１０】  前記送入装置の前記管の前記中央孔内に該インプラントを収容できるように、前記インプラントの前記保持突起が弾性を有している、請求項６に記載のインプラント及び送入装置。
【請求項１１】  インプラントを移植するために使用される送入装置において、該送入装置が、外側表面と、前記インプラントを収容するための中央孔とを備え、該送入装置がさらに前記管の側面に開口を有し、前記インプラントの保持突起が該送入装置の前記管の前記外側表面を越えて突出することを可能とさせている送入装置。
【請求項１２】  前記送入装置の前記管の側部の前記開口部により、さらに、前記インプラントの外側フランジが前記送入装置の前記管の前記外側表面を越えて突出することを可能とさせている、請求項１１に記載の送入装置。
【請求項１３】  概略管状形状の空洞を有する鋳型を用意するステップと、
ワイヤが浮いた状態で前記概略管状形状の空洞の長手方向軸線に沿って延びるように前記鋳型内にワイヤを配置するステップと、
前記鋳型内に成形可能な材料を入れるステップと、
前記鋳型に配置されたワイヤにより、硬化した材料に長手方向の管通路が形成された状態で、前記成形可能材料が前記概略管状形状の鋳型内で硬化するように、前記成形可能な材料を硬化させるステップと、
を含む、流量制御装置を製造する方法。
【請求項１４】  入口端部と、出口端部と、管通路を通る流体の流れを可能にするために前記入口端部と前記出口端部との間に延びている管通路とを備える管と、
前記管通路内に配置された被吸収性材料であって、最初は前記被吸収性材料が前記管通路を通る流れを部分的又は全体的に遮断するように機能し、経時的に、前記管通路を通る流れの障害が減少させられるように、前記被吸収性材料が流体と接触するにつれ侵食される被吸収性材料と、を備える、流体の流量を調節するためのインプラント。
【請求項１５】  前記管通路を通る流れを防止するように、最初は前記被吸収性材料が前記管通路を実質的に塞いでいる、請求項１４に記載の流体の流量を調節するためのインプラント。
【請求項１６】  前記管通路を通る流れを部分的に許容するように、最初は前記被吸収性材料が前記管通路を部分的に塞いでいる、請求項１４に記載の流体の流量を調節するためのインプラント。
【請求項１７】  入口端部と、出口端部と、管通路を通る流体の流れを可能にするために前記入口端部と前記出口端部との間に延びている管通路とを備える管と、
前記間通路内に配置された単数又は複数の流量制御ストランドであって、最初は前記単数又は複数の流量制御ストランドが前記管通路を通る流れを部分的又は全体的に遮断するように機能し、前記管通路を通る流れの障害を変化させるために、少なくとも１つの流量制御ストランドを前記管通路に対して移動させることができる流体制御ストランドと、を備える、流体の流量を調節するためのインプラント。
【請求項１８】  前記管通路を通る流れを防止するように、最初は前記単数又は複数の流量制御ストランドが前記管通路を実質的に塞いでいる、請求項１７に記載の流体の流量を調節するためのインプラント。
【請求項１９】  前記管通路を通る流れを部分的に許容するように、最初は前記単数又は複数の流量制御ストランドが前記管通路を部分的に塞いでいる、請求項１７に記載の流体の流量を調節するためのインプラント。
【請求項２０】  前記インプラントが、前記流量制御ストランドのうちの単数又は複数に取り付けられているプラグをさらに備える、請求項１７に記載の流体の流量を調節するためのインプラント。
【請求項２１】  前記流量制御ストランドのうちの単数又は複数が結び目を有する、請求項１７に記載の流体の流量を調節するためのインプラント。
【請求項２２】  前記管通路を通る流れの障害を減少させるために、少なくとも１つの流量制御ストランドを前記管通路から引き出すことができる、請求項１７に記載の流体の流量を調節するためのインプラント。
【請求項２３】  前記管通路を通る流れの障害を減少させるために、少なくとも１つの流量制御ストランドを前記管通路から完全に抜去することができる、請求項２２に記載の流体の流量を調節するためのインプラント。
【請求項２４】  前記管通路を通る流れの障害を減少させるために、少なくとも１つの流量制御ストランドを部分的に引き抜くことができる、請求項２２に記載の流体の流量を調節するためのインプラント。
【請求項２５】  前記管通路を通る流れの障害を増加させるために、少なくとも１つの流量制御ストランドを管通路内に進入させることができる、請求項１７に記載の流体の流量を調節するためのインプラント。
【請求項２６】  少なくとも２つのストランドを備える、請求項１７に記載の流体の流量を調節するためのインプラント。
【請求項２７】  前記ストランドのうち２つが異なる断面寸法を有する、請求項２６に記載の流体の流量を調節するためのインプラント。
【請求項２８】  少なくとも２つのストランドの各々にプラグが取り付けられており、少なくとも２つのストランドのプラグが異なる断面寸法を有する、請求項２６に記載の流体の流量を調節するためのインプラント。
【請求項２９】  少なくとも２つのストランドの各々が結び目を有し、少なくとも２つのストランドの結び目が異なる寸法を有する、請求項２６に記載の流体の流量を調節するためのインプラント。
【請求項３０】  少なくとも１つの流量制御ストランドがその長さに沿って異なる断面寸法の異なる面積を有する、請求項１７に記載の流体の流量を調節するためのインプラント。
【請求項３１】  少なくとも１つの流量制御ストランドが被吸収性材料から形成されている、請求項１７に記載の流体の流量を調節するためのインプラント。
【請求項３２】  入口端部と、出口端部と、管通路を通る流体の流れを可能にするために前記入口端部と前記出口端部との間に延びている管通路とを備える管と、
前記管通路を通る流体の流れを全体的又は部分的に一時的に遮断するための手段と、を備える、流体の流量を調節するためのインプラント。
【請求項３３】  前記管通路を通る流体の流れを全体的又は部分的に一時的に遮断するための手段が、前記管通路に配置された被吸収性材料を備えている、請求項３２に記載の流体の流量を調節するためのインプラント。
【請求項３４】  前記管通路を通る流体の流れを全体的又は部分的に一時的に遮断するための手段が、前記管通路に配置された少なくとも１つの流量制御ストランドを備える、請求項３２に記載の流体の流量を調節するためのインプラント。
【手続補正３】
【補正対象書類名】明細書
【補正対象項目名】０００１
【補正方法】変更
【補正の内容】
【０００１】
発明の分野
本発明は、大別して、体内における流体の流量を調節するために使用される医療用インプラントに関するものである。本発明は、例えば、緑内障治療のための眼科インプラントに適用され得る。本発明は、また、かかるインプラントを移植するための送入装置、及びかかるインプラントを製造する方法に関する。